(57)【要約】【課題】本発明は、内容物を収納する容器本体の外壁に羽根を備え、この羽根を用いて上部に積層する他の容器本体を固定させる積層型保管容器に関する。【解決手段】本発明は、外壁周縁に備えられて下方に折れた突出部、前記突出部の上部に所定の深さに凹入した第１凹入溝、前記第１凹入溝の入口に備えられて前記突出部の上段部から突起した丘部を含む桶形態の容器本体と、前記外壁の一側に突起形成される一対のヒンジ部、前記ヒンジ部とヒンジ結合する支持本体、前記支持本体に対して所定の角度を有するように前記支持本体の一端から突出する固定突出片を含み、前記固定突出片を介して前記第１凹入溝に挟まって結合する羽根部と、外壁周縁に前記突出部が備えられ、前記突出部の上段面に前記丘部が備えられ、最上段に位置する前記容器本体の上部面を覆う蓋を含むことを特徴とする積層型保管容器を提供する。本発明によれば、積層型保管容器間の結束力が向上し、保管容器に収容された内容物の外部排出が防がれ、使用期間も増加する。【選択図】図２
2009214938.tif 000002
【特許請求の範囲】
【請求項１】
積層可能な容器であって、
外壁周縁に設けられて下方に折れた突出部、前記突出部の上部に所定の深さに凹入した第１凹入溝、前記第１凹入溝の入口に設けられて前記突出部の上段部から突起した丘部を含む桶形態の容器本体と、
前記外壁の一側に突起形成される一対のヒンジ部、前記ヒンジ部とヒンジ結合する支持本体、前記支持本体に対して所定の角度を有するように前記支持本体の一端から突出する固定突出片を含み、前記固定突出片を介して前記第１凹入溝に挟まれて結合する羽根部と、
外壁周縁に前記突出部が設けられ、前記突出部の上段面に前記丘部が設けられ、最上段に位置する前記容器本体の上部面を覆う蓋と、
を備えることを特徴とする積層型保管容器。
【請求項２】
前記容器本体は、前記外壁と前記突出部によって形成された第２凹入溝を含み、前記第２凹入溝には弾力的な素材のパッキングを設けたことを特徴とする請求項１に記載の積層型保管容器。
【請求項３】
前記羽根部は、前記支持本体に取っ手をさらに有することを特徴とする請求項１に記載の積層型保管容器。
【請求項４】
前記容器本体は、一側面に形成された前記ヒンジ部と他側面に形成された前記ヒンジ部を相互連結させて固定する取付固定部をさらに含むことを特徴とする請求項１に記載の積層型保管容器。
【請求項５】
前記積層型保管容器は、プラスティック素材で成形されて透明であることを特徴とする請求項１に記載の積層型保管容器。
【請求項６】
前記蓋は、その上部面に人の指で把持可能なハンドルが装着されたことを特徴とする請求項１に記載の積層型保管容器。
【発明の詳細な説明】
【技術分野】
【０００１】
本発明は、積層型保管容器に関し、より詳しくは、内容物を収納する容器本体の外壁に羽根を備え、この羽根を用いて上部に積層する他の容器本体を固定させる積層型保管容器に関する。
【背景技術】
【０００２】
一般的に、食べ物を保管する保管容器の容器本体は、食品保管用として許可された材質の合成樹脂、耐熱ガラス、耐熱陶磁器などで成形されたものが用いられている。このうち、特に合成樹脂で成形された製品は、大量生産が容易であり、価格が低廉であり、取り扱いが便利であるという長点を有しており、最も広く用いられている。このような保管容器の本体と蓋には、密封容器に保存された食べ物を安全に保管および保存して食べ物の流出を防ぐために、ロック装置が設けられている。
【０００３】
容器本体には、容器本体の縁部から外側に突出した複数の係止突起が周縁方向に沿って所定の間隔を置いて複数が形成されている。また、蓋には、ヒンジを中心として上下に回動可能なロック羽根が形成されている。ロック羽根には、容器本体の係止突起が挿入結合される結合孔が形成されている。このような容器は、容器本体の開口に蓋を覆った状態で蓋の各ロック羽根を容器本体側に回動させて加圧すれば、ロック羽根の結合孔に係止突起が弾性的に挿入されながら結合する。しかしながら、ロック羽根の結合孔と容器本体の係止突起との間の結合が完全でないという関係により、このような従来の保管容器は、積層する容器間の結束力が低下し、保存されていた内容物が外部に排出する場合が多発していた。
【０００４】
これだけでなく、従来の保管容器は、多段で形成することが極めて困難であるという問題点も有していた。最近、家庭では食事をする回数が減り、家庭の人数が減少することに伴い、家庭内で食べ物を準備したり料理したりするときには、１種類の食べ物を多く料理するよりは、多様な食べ物を少しずつ料理する場合が多い。したがって、保存する食べ物の種類が増え、このような場合には、保管容器自体の大きさよりは複数の保管容器が必要となる。しかしながら、保管容器を多数使用する場合には、冷蔵庫内の空間を多く占めるようになる。これにより、１つの蓋のみを用いながら多数の容器本体を積層することができる多段式の容器が切に求められている。しかしながら、多段で積層することができるように成形する場合に各容器の本体の密封力を向上させるためには、蓋だけでなく各容器の本体にもパッキングが装着されなければならない。また、蓋と各容器本体にパッキングを装着することができる構造を設けなければならない。しかしながら、従来の保管容器には、このような構造が未だ設けられていなかった。
【発明の概要】
【発明が解決しようとする課題】
【０００５】
本発明は、上述した問題点を解決するために案出されたものであって、容器本体には外壁に形成された突出部を介し、その上に所定の深さに凹入した凹入溝部と、この凹入溝部を一部閉鎖させる丘部を備え、羽根には前記凹入溝部に挿入した後に丘部によって係止され、簡単に脱出することを不可能にする固定突出片を備えさせる積層型保管容器を提供することを目的とする。
【０００６】
また、本発明は、容器本体の前記突出部と外壁によって形成された凹入溝部にパッキングを備えさせ、美観性の憂慮を考慮した積層型保管容器を提供することを他の目的とする。
【課題を解決するための手段】
【０００７】
本発明は、上述した目的を達成するために案出されたものであって、積層可能な容器であって、桶形態のものであり、外壁周縁に下方に折れた形態の突出部を形成し、前記突出部上の外壁には所定の深さに凹入した第１凹入溝を形成し、前記突出部の上段面で突起した形態の丘部を前記第１凹入溝の入口に形成する容器本体と、前記容器本体の外壁一側で所定の距離を置いて突起形成される一対のヒンジ部とヒンジ結合する支持本体を備え、前記支持本体に対して所定の角度を有するように前記支持本体の一端で突出する固定突出片を介して前記第１凹入溝に挟まれて結合する羽根部と、外壁周縁に前記突出部を形成し、前記突出部の上段面には前記丘部を形成し、最上段に位置する前記容器本体の上部面を覆う蓋を含むことを特徴とする積層型保管容器を提供する。
【０００８】
好ましくは、前記容器本体は、前記外壁と前記突出部によって形成された第２凹入溝に弾力的な素材のパッキングを備える。
好ましくは、前記羽根部は、前記支持本体の一面に取っ手をさらに備え、前記容器本体は、一側面に形成されたヒンジ部と他側面に形成されたヒンジ部を相互連結させて固定する取付固定部をさらに備える。
好ましくは、前記積層型保管容器は、プラスティック素材で成形されて透明であることを特徴とする。
好ましくは、前記蓋は、上部面に把指が可能なハンドルを装着する。
【発明の効果】
【０００９】
本発明は、後述する構成によって次のような効果を発生させる。第１に、容器本体に形成された凹入溝部と丘部、羽根部に形成された固定突出片を介して積層した保管容器間の結束力を大幅に向上させる。第２に、外壁と突出部によって形成された空間にパッキングを挿入させることによって積層した保管容器の流動性を防ぎ、保管容器の相互間が摩擦によって磨り減る現象から開放させ、究極的には積層型保管容器の使用期間を拡張させる。
【図面の簡単な説明】
【００１０】
【図１】本発明の好ましい実施形態に係る積層型保管容器の斜視図である。
【図２】本発明の好ましい実施形態に係る積層型保管容器の分解斜視図である。
【図３】本発明の好ましい実施形態に係る積層型保管容器の一側面が締結する前の状態である場合の凹部拡大図である。
【図４】本発明の好ましい実施形態に係る積層型保管容器の一側面が締結した後の状態である場合の凹部拡大図である。
【図５】図２に示す本発明の好ましい実施形態に係る容器本体のＡ−Ａ’面を切断した場合の断面図である。
【図６】図２に示す本発明の好ましい実施形態に係る蓋のＢ−Ｂ’面を切断した場合の断面図である。
【図７】本発明の好ましいさらに他の実施形態に係る積層型保管容器の斜視図である。
【発明を実施するための形態】
【００１１】
以下、本発明の好ましい実施形態について、添付の図面を参照しながら詳細に説明する。まず、各図面の構成要素に参照符号を付加することにおいて、同じ構成要素に対しては、たとえ他の図面上に表示されていたとしても、可能な限り同じ符号を有するようにしていることに留意しなければならない。また、本発明の説明において、関連した公知構成または機能に対する具体的な説明が本発明の要旨を不明確にし得ると判断される場合には、その詳細な説明は省略する。また、以下で本発明の好ましい実施形態を説明するが、本発明の技術的思想はこれに限定されたり制限されるものではなく、当業者によって変形されて多様に実施され得ることは勿論である。
【００１２】
図１は、本発明の好ましい実施形態に係る積層型保管容器の斜視図である。図２は、本発明の好ましい実施形態に係る積層型保管容器の分解斜視図である。図３は、本発明の好ましい実施形態に係る積層型保管容器の一側面が締結する前の状態である場合の凹部拡大図である。図４は、本発明の好ましい実施形態に係る積層型保管容器の一側面が締結した後の状態である場合の凹部拡大図である。図５は、図２に示す本発明の好ましい実施形態に係る容器本体のＡ−Ａ’面を切断した場合の断面図である。また、図６は、図２に示す本発明の好ましい実施形態に係る蓋のＢ−Ｂ’面を切断した場合の断面図である。以下、図１〜図６を参照しながら、本発明の好ましい実施形態に係る積層型保管容器について説明する。
【００１３】
図１および図２によれば、本発明の好ましい実施形態に係る積層型保管容器１００は、容器本体１１０と、羽根部１３０と、蓋１５０を含む。
【００１４】
容器本体１１０は、通常の桶形状であり、底１１１上部面の枠端に壁部１１２が一体で備えられる構造で形成される。これにより、容器本体１１０は、内部に内容物を収納することができるように所定の大きさの空間を形成するようになり、好ましくは、容器本体１１０は、善美感を考慮して内外部のエッジが曲線化される。
【００１５】
容器本体１１０は、各側面外部の上端に一対のヒンジ部１１３を置き、これを介して羽根部１３０とヒンジ結合する。また、容器本体１１０は、ヒンジ部１１３が若干の外部衝撃にも容易に破損しないように取付固定部１１４を備える。この取付固定部１１４は、一側面と他側面に突起形成されたヒンジ部１１３を相互連結して固定することができるように一定の厚さで突出形成される。
【００１６】
容器本体１１０は、外部下端の周縁に下方に折れた状態の突出部１１５を形成する。図３および図４を参照すれば、容器本体１１０は、この突出部１１５に対してその上部分に直角三角形状の形態の第１凹入溝１１６を形成し、これを介して他の容器本体に装着された羽根部１３０と挟まれて結合する。図３は、羽根部１３０が第１凹入溝１１６に挟まれて結合する前の様子であり、図４は、羽根部１３０が第１凹入溝１１６に挟まれて結合した後の様子である。
【００１７】
このような容器本体１１０は、第１凹入溝１１６の入口に突出部１１５の上段面から突起して第１凹入溝１１６の一部を閉鎖させる形態の丘部１１７を形成し、前記羽根部１３０と挟まれて結合力をより向上させるようになる。この場合、丘部１１７は、羽根部１３０が第１凹入溝１１６に容易にスライディングすることができるように、三角柱または半円柱の形状で形成されることが好ましい。一方、第１凹入溝１１６の形態は、直角三角形に限定されるものではなく、通常の三角形状や半円状なども可能である。また、第１凹入溝１１６の大きさは、挟まれて結合する羽根部１３０の長さと一致するように形成されることは自明である。
【００１８】
容器本体１１０は、突出部１１５によって第１凹入溝１１６下の上方に凹入した構造の第２凹入溝１１８を形成する。以下、図５を参照する。第２凹入溝１１８は、本発明の実施形態において、他の容器本体の上段との結合を提供し、第１凹入溝１１６と共に容器本体間の結束力をより確固なものとする。このような第２凹入溝１１８は、その内部を満たすように形成されるパッキング（ｐａｃｋｉｎｇ）１１９を備えることができる。
【００１９】
パッキング１１９は、本発明の実施形態において、容器本体間の機密性を高めるだけでなく、流動性を除去する機能も行う。このようなパッキング１１９は、頻繁な挟入による摩擦によって第２凹入溝１１８が磨り減り、寿命が短縮することを防ぐことができるように、柔軟性を有するゴム素材などで形成されることが好ましい。
【００２０】
一方、容器本体１１０は、底１１１の下部面から下方に突起する底突起部１２０も備える。底突起部１２０は、容器本体１１０の容易な起立を考慮して、一周縁に形成されることが好ましい。容器本体１１０が底突起部１２０を備えるようになれば、外部の汚物によって底１１１の下部面全体が汚れるという現象を防ぐことができるようになる上に、冷たい物質などに触れた場合に底１１１を介して冷熱が容易に放出されることを防ぐことができるようになる。
【００２１】
上記において既に説明したとおり、羽根部１３０は、容器本体１１０の一側面に形成される一対のヒンジ部１１３にヒンジ結合する。具体的には、羽根部１３０は、その両端に形成された突起をヒンジ部１１３の溝に挿入させることによって前記ヒンジ結合を達成させる。以下、図１〜図５を参照しながら、容器本体１１０に結合した羽根部１３０を全般的に詳察する。まず、羽根部１３０の役割、配置構造などについて詳察し、その後に羽根部１３０の形態について詳察する。羽根部１３０の形態に関する図３〜図５に明確に示すとおり、この部分の説明は、これらの図面を参照することが有益であろう。
【００２２】
羽根部１３０は、本発明の実施形態において、上部に積層する他の容器本体を固定させる役割を行う。これにより、羽根部１３０は、容器本体１１０の各側面にそれぞれ１つずつ備えられることが好ましいが、本発明の実施形態において、これに必ずしも限定される必要はない。その理由は、羽根部１３０を容器本体１１０の対向する２側面に備えさせるだけでも、前記固定役割を十分に実行することができるためである。
【００２３】
図２に示すように、本発明に係る容器本体１１０が大略四角形であることを考慮するとき、羽根部１３０は、横方向に２つの第１羽根部１３１、縦方向に２つの第２羽根部１３２など合計４つの羽根部が容器本体１１０に装着されることを知ることができる。
【００２４】
次に、羽根部１３０の形態について説明する。羽根部１３０は、本発明の実施形態において、支持本体１３３、取っ手１３４、固定突出片１３５などで構成される。支持本体１３３は、羽根部１３０の土台を形成する本体であり、その両端に備えられた突起を介して容器本体１１０に支持される。このような支持本体１３３は、一端から互いに異なる方向に突出した取っ手１３４と固定突出片１３５を有する。
【００２５】
取っ手１３４は、人間の手を用いて羽根部１３０を容易に動かすことができるように取っ手の役割をするものであり、外側方向に突出した形態で具現される。このような取っ手１３４は、外側方向に過度に際立つ場合には、若干の外部衝撃にも簡単に破損する恐れがあるため、掴み易さおよび美観性の憂慮などを考慮する場合、外側対角線上方に突出することが最も好ましい。一方、本発明の実施形態では、取っ手１３４が支持本体１３３の長さと対等な長さを有することが一般的であるが、これに必ずしも限定される必要はない。
【００２６】
固定突出片１３５は、羽根部１３０で容器本体１１０の第１凹入溝１１６に直接挿入する部分であるため、取っ手１３４とは反対方向に突出する。このような固定突出片１３５は、支持本体１３３に対して直角方向に突出することが好ましいが、その理由は、この場合が他の容器本体に密着することによって他の容器本体の流動性をより効率的に除去させることができるためである。
【００２７】
固定突出片１３５は、本発明の一実施形態において、下部面一端が下方に突出した構造を有する。固定突出片１３５は、このような構造に基づいて第１凹入溝１１６に進入した後、第１凹入部１１６から容易に脱出することを防ぐことができるようになる。
【００２８】
蓋１５０は、容器本体１１０の開放された上部を閉鎖するカバーの役割をする。本発明の実施形態において、このような蓋１５０は、側面枠に下方に折れた状態の突出部１１５を形成し、この突出部１１５を基準として上部に丘部１１７を、下部には第２凹入溝１１８とパッキング１１９を備える。突出部１１５、丘部１１７、第２凹入溝１１８、パッキング１１９などについては上述したとおりであるため、ここでは詳細な説明を省略する。
【００２９】
以上、上述した本発明の好ましい実施形態に係る積層型保管容器１００は、複数の容器本体１１０を積層させることによって実現される。このような積層型保管容器１００は、羽根部１２０を用いて上部に積層する容器本体１１０を結束させ、最上段に位置した容器本体１１０は、蓋１５０によって内部が閉鎖されることによって保管容器の役割を実行することができるようになる。
【００３０】
積層型保管容器１００は、本発明の実施形態において、携帯性を勘案してプラスティック素材のような軽い物質からなることが好ましい。また、積層型保管容器１００は、内容物の現在状態（例えば、変質可否の確認など）を容易に観察することができるように、透明な素材で製造されることが好ましい。
【００３１】
一方、積層型保管容器１００は、運搬が容易なように把指が可能なように蓋１５０の上部面にハンドルを備えることも可能である。図７を参照すれば、図面符号７１０がハンドルを示し、図面符号７００がこのようなハンドル７１０を備えたさらに他の実施形態に係る積層型保管容器を示す。
【００３２】
以上の説明は、本発明の技術的思想を例示的に説明したものに過ぎず、本発明が属する技術的分野において通常の知識を有する者であれば、本発明の本質的な特性から逸脱しない範囲内で多様な修正、変更、および置換が可能であろう。したがって、本発明に記載された実施例および添付の図面は、本発明の技術的思想を限定するためのものではなく説明するためのものであり、このような実施例および添付の図面によって本発明の技術的思想の範囲が限定されるものではない。本発明の保護範囲は、下記の請求の範囲によって解釈されなければならず、これと同等な範囲内におけるすべての技術思想は、本発明の権利範囲に含まれるものであると解釈されなければならない。
【産業上の利用可能性】
【００３３】
積層型保管容器は、一般型保管容器に比べて多様であり、多くの内容物を収容することができるという長点がある。したがって、今後は一般型保管容器に比べて積層型保管容器の普及が増えるものと予測されるため、本発明に係る積層型保管容器は産業上の利用可能性が高いと言える。
【符号の説明】
【００３４】
１００、７００：積層型保管容器
１１０：容器本体
１１１：底
１１２：壁部
１１３：ヒンジ部
１１４：取付固定部
１１５：突出部
１１６：第１凹入溝
１１７：丘部
１１８：第２凹入溝
１１９：パッキング
１２０：底突起部
１３０：羽根部
１３３：支持本体
１３４：取っ手
１３５：固定突出片
１５０：蓋
７１０：ハンドル
【図１】
2009214938.tif 000003
【図２】
2009214938.tif 000004
【図３】
2009214938.tif 000005
【図４】
2009214938.tif 000006
【図５】
2009214938.tif 000007
【図６】
2009214938.tif 000008
【図７】
2009214938.tif 000009